(57)【特許請求の範囲】
【請求項１】
同一宛先または同一オーダーの商品を、識別記号がそれぞれ付された容器に収容して配送する商品配送制御装置で、前記収容する商品のサイズを測定する測定手段と、前記サイズが第1の容器のサイズ以上のサイズである第１の状態と、第１の容器のサイズより小さい第２の状態に前記商品を２つのグループに区分けする区分け手段とを備え、さらに前記収容する商品の個数をカウントするカウント手段を備え、前記商品の数が所定の個数を越えているかどうかを判断する判断手段と、前記商品の数が前記所定の個数を越えていると判断したとき、前記商品を複数個の群に区分けする区分け手段と、前記区分けされた商品を前記容器にそれぞれ収容する収容手段と、前記容器の識別番号を記憶する記憶手段と、前記記憶された識別信号を基に前記容器を関連付けする関連付け手段とを備えた商品配送制御装置。
【請求項２】
前記関連付けされた容器を配送する配送手段とを備えた請求項１に記載の商品配送制御装置。
【請求項３】
同一宛先または同一オーダーの商品を、識別記号がそれぞれ付された容器に収容して配送する商品配送制御方法で、前記収容する商品のサイズを測定するステップと、前記サイズが第1の容器のサイズ以上のサイズである第１の状態と、第１の容器のサイズより小さい第２の状態に前記商品を２つのグループに区分けするステップと、さらに前記収容する商品の個数をカウントするステップと、前記商品の数が所定の個数を越えているかどうかを判断するステップと、前記商品の数が前記所定の個数を越えていると判断したとき、前記商品を複数個の群に区分けするステップと、前記区分けされた商品を前記容器にそれぞれ収容するステップと、前記容器の識別番号を記憶するステップと、前記記憶された識別信号を基に前記容器を関連付けするステップとを備えた商品配送制御方法。
【請求項４】
前記関連付けされた容器を配送するステップを備えた請求項３に記載の商品配送制御方法。
【発明の詳細な説明】
【技術分野】
【０００１】
本発明は、写真、広告用紙等のような薄い紙のような商品を配送する商品配送制御装置またその方法に関する。
【背景技術】
【０００２】
従来は、例えば、特許文献１に示すように同一宛先のメールをひとまとめにしラッピングして送付することは知られている。
【０００３】
企業などからの依託により大量の郵便物（メール）の発送業務を請け負うシステムが存在するが、このようなシステムでは、大量のメールを同一配送先（中央郵便局など）ごとに仕分けし、ダンボール箱などのメール運送容器に収容して各地の中央郵便局などに宛てて発送している。
このようなシステムにおいては、同じ中央郵便局宛のメールを一定の枚数単位でまとめ、
バーコード（配送先の情報）などの目印を付け、仕分け装置がこのバーコードを読み取り、各中央郵便局宛のメール運送容器に仕分けして収容していた（例えば、特許文献１参照）。
【０００４】
【特許文献１】特許公開１１−２５３８９０号公報
【発明の開示】
【発明が解決しようとする課題】
【０００５】
しかしながら、最近、物品を配送する際に物品を個々に区別するためにそれぞれ物品を識別するためにそれぞれバーコードが添付されている。上記のようにさらに同一配送先の場合に同一宛先のメールに同一のバーコードを付すると複数のバーコードが付されることになり、どちらのバーコードを読み取らないといけないかを考慮しないと読み取りを失敗することになる。
【課題を解決するための手段】
【０００６】
本発明の請求項１は、同一宛先または同一オーダーの商品を、識別記号がそれぞれ付された容器に収容して配送する商品配送制御装置で、前記収容する商品のサイズを測定する測定手段と、前記サイズが第1の容器のサイズ以上のサイズである第１の状態と、第１の容器のサイズより小さい第２の状態に前記商品を２つのグループに区分けする区分け手段とを備え、さらに前記収容する商品の個数をカウントするカウント手段を備え、前記商品の数が所定の個数を越えているかどうかを判断する判断手段と、前記商品の数が前記所定の個数を越えていると判断したとき、前記商品を複数個の群に区分けする区分け手段と、前記区分けされた商品を前記容器にそれぞれ収容する収容手段と、前記容器の識別番号を記憶する記憶手段と、前記記憶された識別信号を基に前記容器を関連付けする関連付け手段とを備えた商品配送制御装置を提供するものである。

【０００７】
本発明の請求項２は、前記関連付けされた容器を配送する配送手段とを備えた請求項１に記載の商品配送制御装置を提供するものである。
【０００８】
本発明の請求項３は、同一宛先または同一オーダーの商品を、識別記号がそれぞれ付された容器に収容して配送する商品配送制御方法で、前記収容する商品のサイズを測定するステップと、前記サイズが第1の容器のサイズ以上のサイズである第１の状態と、第１の容器のサイズより小さい第２の状態に前記商品を２つのグループに区分けするステップと、さらに前記収容する商品の個数をカウントするステップと、前記商品の数が所定の個数を越えているかどうかを判断するステップと、前記商品の数が前記所定の個数を越えていると判断したとき、前記商品を複数個の群に区分けするステップと、前記区分けされた商品を前記容器にそれぞれ収容するステップと、前記容器の識別番号を記憶するステップと、前記記憶された識別信号を基に前記容器を関連付けするステップとを備えた商品配送制御方法を提供するものである。
【０００９】
本発明の請求項４は、前記関連付けされた容器を配送するステップを備えた請求項３に記載の商品配送制御方法を提供するものである。
【発明の効果】
【００１６】
上述したように本発明の商品配送制御装置及び商品配送制御方法は同一宛先または同一オーダーに基づく商品の配送を同一宛先または同一オーダーに基づくようなバーコードを載せなくても間違いなく同一宛先また同一オーダーに基づいて行なうことができる。
【発明を実施するための最良の形態】
【００１７】
以下、本発明の実施の形態を図１〜図６に基づいて説明する。
【００１８】
図１は本発明の商品配送制御装置で一つの例を示すブロック図であり、ここで商品をプリント写真として説明する。
１は複数の写真を示し、２は制御装置を示し、写真の枚数を所定値よりも多いかどうかを３で示す比較手段の比較器４に枚数をカウントするカウンタ５と所定値を記憶したメモリ６の値を入力し、比較器４でカウンタ値とメモリ値を比較する。ここで前記所定値を記憶したメモリの値を５０とすれば枚数が５０枚以下ならば一つの容器７Ａに写真１を収容する。８Ａは容器７Ａを識別するために、例えばバーコードのような識別記号が付されており、９Ａは容器７Ａに記載された宛名を示す。１０は配送手段で写真を収容した容器７Ａを配送する手段を示す。制御装置２は識別記号８Ａを読取った後に配送手段１０を作動させるよう制御する。
【００１９】
図１は上述のように写真が５０枚以下を示し、図２は写真の枚数が５１枚以上の場合を示す第２のブロック図である。複数の写真１の枚数をカウントするカウンタ図１と同様に所定値を示す。写真が５１枚以上、例えば８０枚あったとすれば、容器７Ｂに５０枚を、容器７Ｅに３０枚を挿入し収容する。
容器７Ｂ、７Ｃにはそれぞれ容器７Ｂ、７Ｃを識別するための識別記号（例えばバーコード）８Ｂ、９Ｃが記録されており、制御装置２の指示により識別記号８Ｂ、８Ｃを不図示の識別記号読取装置で読取って記憶する。
【００２０】
容器７Ｂ、７Ｃの識別記号をそれぞれ読取った後に１１で示すトレイに容器７Ｂ、７Ｃを移送し、配置する。図３は最初に識別記号を読んだ値８Ｂ、８Ｃと、トレイ１１にある容器７Ｂ、７Ｃの識別記号を不図示の識別記号読取装置で読取った値８ＢＸ、８ＣＸとを比較するブロック図を示す。比較した結果、一致した時に配送手段を作動させるよう制御される。配送する前に、バラバラに配送されないように容器７Ｂ、７Ｃを締結部材（例えば紐）１２で締結する。
【００２１】
図４は写真のサイズが複数、ここでは２種類ある場合を示すブロック図である。サイズの異なる写真のために容器７Ｄ、７Ｅを用意し、その容器にそれぞれ挿入し収容する。図２と同様に識別記号８Ｄ、８Ｅを読取り、読み込んだ値とトレイ１１に移送され、配置された容器８Ｄと８Ｅの識別記号を比較し、一致した時に、締結部材１２で容器８Ｄ、８Ｅを締結し、配送手段１０を作動させる。
【００２２】
図５は制御装置２の第１の実施例を示すフローチャートである。
Ｓ１では写真のサイズがすべて同一かどうかを判断し、同一で判断すると、Ｓ２に進み、枚数Ｎが所定の枚数よりも大きいかがどうかを判断し、少ない時はＳ３に進み、容器７Ａに収容し、Ｓ４に進み、容器７Ａに付された識別記号８Ａを読取って、Ｓ５に進み記憶し、Ｓ６に進み配送するよう制御する。
【００２３】
写真が異なったサイズがあるか、所定の枚数以上の枚数の時に、Ｓ７、Ｓ８に進み、容器７Ｂ、７Ｃに写真を挿入し収容する。次にＳ９、１０に進み、識別記号８Ｂ、８Ｃを読取り、Ｓ１１に進み、記憶する。Ｓ１２で、トレイ１１に移送された容器の識別記号を読取り、その値を記憶する。Ｓ１３でトレイ１１に移送される前の読取った識別記号の値８Ｂ、８Ｃと、トレイ上にある容器の読取った識別記号の値８ＢＸと８ＣＸとを比較し、一致しているかどうかを判定し、一致した時にＳ１４のように容器７Ｂと７Ｃがバラバラにならないように紐等の締結部材で締結し、Ｓ１５に示すように配送する。もしも一致しないときはＳ１６にように配送を中止する。
【００２４】
図６は、制御装置２の第２の実施例を示すフローチャートである。
Ｓ２１では写真のサイズがすべて同一かどうかを判断し、同一で判断すると、Ｓ２２に進み、枚数Ｎが所定の枚数よりも大きいかがどうかを判断し、少ない時はＳ２３に進み、容器７Ａに収容し、Ｓ２４に進み配送するよう制御する。
【００２５】
写真が異なったサイズがあるか、所定の枚数以上の枚数の時に、Ｓ２５、Ｓ２６に進み、容器７Ｂ、７Ｃに写真を挿入し収容する。次にＳ２７に進み同一のトレイ１１に移送し、
Ｓ２８に示すように容器７Ｂ、７Ｃがバラバラにならないように締結部材１２で締結し、配送する。
【００２６】
特許請求の範囲で配送する際に複数の容器を「関連付ける」と述べたか、締結部材１２を用いず、複数の容器を一緒に袋に入れて配送してもよいし、同時に関連を持たせて配送してもよい。
【図面の簡単な説明】
【００２７】
【図１】本発明の実施形態を示す第１のブロック図（枚数が所定枚数以下の場合）
【図２】第２のブロック図（枚数が所定枚数以上の場合）
【図３】識別記号の比較を示す第３のブロック図
【図４】サイズの異なる写真が存在する場合の第４のブロック図
【図５】制御装置の第１の実施例を示すフローチャート
【図６】制御装置の第２の実施例を示すフローチャート
【符号の説明】
【００２８】
１      商品（例えば写真）
２      制御装置
３      比較手段
４      比較器
５      カウンタ
６      メモリ
７Ａ、７Ｂ、７Ｃ、７Ｄ、７Ｅ    容器
８Ａ、８Ｂ、８Ｃ、８Ｄ、８Ｅ    識別記号（例えばバーコード）
８ＢＸ、８ＣＸ    バーコードを読取った信号
９Ａ、９Ｂ、９Ｃ、９Ｄ、９Ｅ    宛名
１０    配送手段
１１    トレイ
１２    締結部材（例えば紐）
１３    記憶／比較器
【図１】
0005343265.tif 000002
【図２】
0005343265.tif 000003
【図３】
0005343265.tif 000004
【図４】
0005343265.tif 000005
【図５】
0005343265.tif 000006
【図６】
0005343265.tif 000007